(57)【要約】      （修正有）【課題】持ち歩くなどして衝撃や振動が加わっても芳香剤が外部に出てきてしまうことがなく、ゲル状の芳香剤が手に付いてしまったり、被服等を汚してしまったりすることを完全に防止する容器入り芳香剤を提供する。【解決手段】遮断カバー１５の非接着部１９を摘まんで、遮断カバー１５を気体通過シートから剥がし取る。これにより、気体通過シートの気体通過部１３が露出した状態となる。露出した気体通過部１３を気化した芳香剤Ｆが通過して飛散する。芳香カード３はゲル状の芳香剤を通過させない非通過シートと気体通過シートによって完全に封入された状態となっているため、持ち歩くなどして衝撃や振動が加わっても封入容器７からゲル状の芳香剤が外部に出てきてしまうことがなく、ゲル状の芳香剤が手に付いてしまったり、被服等を汚してしまったりすることを完全に防止することができる。【選択図】図４
0003186409.tif 000002
【実用新案登録請求の範囲】
【請求項１】
液状乃至ゲル状の芳香剤が含浸させられた芳香カードと、前記芳香カードを封入する封入容器とを有する容器入り芳香剤であって、前記封入容器は、その一部にゲル状の芳香剤を通過させず、気化した芳香剤だけを通過させる気体通過部を備えており、前記気体通過部は気化した芳香剤を通過させない遮断カバーによって覆われ、前記遮断カバーは前記気体通過部から除去可能であることを特徴とする容器入り芳香剤。
【請求項２】
請求項１に記載した容器入り芳香剤において、液状乃至ゲル状の芳香剤、気化した芳香剤のいずれも通過させない非通過シートと、液状乃至ゲル状の芳香剤を通過させず、気化した芳香剤だけを通過させる気体通過シートとが重ね合され、前記非通過シートと前記気体通過シートとの間に芳香カードを備え、前記非通過シートと前記気体通過シートの周縁部が接着されて封入容器が構成され、前記気体通過シートの表面に遮断カバーが剥離可能に接着されていることを特徴とする容器入り芳香剤。
【請求項３】
請求項１または２に記載した容器入り芳香剤において、芳香カードは文字、絵柄等の表示体が印刷されており、封入容器は透明材料によって構成されていることを特徴とする容器入り芳香剤。
【考案の詳細な説明】
【技術分野】
【０００１】
本考案は容器入り芳香剤に係り、特に携帯に適する容器入り芳香剤に関するものである。
【背景技術】
【０００２】
容器入り芳香剤は一般に広く利用されており、この容器入り芳香剤は香りを楽しむ目的で室内や車内に置かれたり、更に持ち歩いたりすることもある。
このような容器入り芳香剤として例えば特許文献１に記載されたものがある。この容器入り芳香剤は開口が形成された収納容器に芳香含浸体が収納されたものである。
芳香含浸体には液状乃至ゲル状の芳香剤が含浸されており、芳香剤は芳香含浸体から気化し、気化した芳香剤が開口を通って収納容器から出て芳香を発散する。
【先行技術文献】
【特許文献】
【０００３】
【特許文献１】特開２００５−４０２０７号公報
【考案の概要】
【考案が解決しようとする課題】
【０００４】
しかしながら、上記の容器入り芳香剤は収納容器に開口が形成されているため、開口から液状乃至ゲル状の芳香剤が出てきてしまい、これが手に付いてしまったり、被服等を汚してしまったりするおそれがある。特に、容器入り芳香剤を持ち歩くなどした場合、容器入り芳香剤に衝撃や振動が加わることで、収納容器の口から液状乃至ゲル状の芳香剤が出てきてしまうおそれがある。
【０００５】
本考案は上記従来の問題に着目して為されたものであり、持ち歩くなどして衝撃や振動が加わっても芳香剤が外部に出てきてしまうことがなく、液状乃至ゲル状の芳香剤が手に付いてしまったり、被服等を汚してしまったりすることを完全に防止する容器入り芳香剤の提供を、その目的とする。
【課題を解決するための手段】
【０００６】
本考案は上記課題を解決するためになされたものであり、請求項１の考案は、液状乃至ゲル状の芳香剤が含浸させられた芳香カードと、前記芳香カードを封入する封入容器とを有する容器入り芳香剤であって、前記封入容器は、その一部にゲル状の芳香剤を通過させず、気化した芳香剤だけを通過させる気体通過部を備えており、前記気体通過部は気化した芳香剤を通過させない遮断カバーによって覆われ、前記遮断カバーは前記気体通過部から除去可能であることを特徴とする容器入り芳香剤である。
【０００７】
請求項２の考案は、請求項１に記載した容器入り芳香剤において、液状乃至ゲル状の芳香剤、気化した芳香剤のいずれも通過させない非通過シートと、液状乃至ゲル状の芳香剤を通過させず、気化した芳香剤だけを通過させる気体通過シートとが重ね合され、前記非通過シートと前記気体通過シートとの間に芳香カードを備え、前記非通過シートと前記気体通過シートの周縁部が接着されて封入容器が構成され、前記気体通過シートの表面に遮断カバーが剥離可能に接着されていることを特徴とする容器入り芳香剤である。
【０００８】
請求項３の考案は、請求項１または２に記載した容器入り芳香剤において、芳香カードは文字、絵柄等の表示体が印刷されており、封入容器は透明材料によって構成されていることを特徴とする容器入り芳香剤である。
【考案の効果】
【０００９】
本考案の容器入り芳香剤によれば、持ち歩くなどして衝撃や振動が加わっても芳香剤が外部に出てきてしまうことがなく、液状乃至ゲル状の芳香剤が手に付いてしまったり、被服等を汚してしまったりすることを完全に防止することができる。
【図面の簡単な説明】
【００１０】
【図１】本考案の実施の形態に係る容器入り芳香剤の斜視図である。
【図２】図１のＡ−Ａ断面図である。
【図３】図１の容器入り芳香剤の構成を説明するための斜視図である。
【図４】図１の容器入り芳香剤の使用方法を説明するための斜視図である。
【図５】図１の容器入り芳香剤を使用している状態における図２と同じ部分の断面図である。
【考案を実施するための形態】
【００１１】
本考案の実施の形態に係る容器入り芳香剤１を図面にしたがって説明する。
符号３は芳香カードを示し、この芳香カード３は紙製であり、略長方形を為している。芳香カード３にはペパーミントの芳香を発するゲル状の芳香剤Ｆが含浸させられている。ゲル状の芳香剤Ｆは常温で気化するものである。芳香カード３の表面には表示体としての文字５が印刷されている。
【００１２】
符号７は透明材料によって構成された封入容器を示す。封入容器７は芳香カード３よりも一回り大きく設定されており、名刺程度の大きさである。
封入容器７は非通過シート９と気体通過シート１１から成る。
非通過シート９はゲル状の芳香剤Ｆと気化した芳香剤Ｆのいずれも通過させないエチレン−ビニルアルコール共重合合成樹脂等によって構成されている。気体通過シート１１はゲル状の芳香剤Ｆを通過させず、気化した芳香剤Ｆだけを通過させるポリスチレン等の合成樹脂によって構成されている。気体通過シート１１と非通過シート９は同じ大きさに形成されている。
【００１３】
図２、３に示すように、非通過シート９と気体通過シート１１はその間に芳香カード３を挟んで重ね合わせられている。これらの非通過シート９と気体通過シート１１の周縁部１２は熱融着によって接着され、袋状を為している。
気体通過シート１１の中央部（周縁部１２に囲まれた部分）は気体通過部１３となっている。
【００１４】
符号１５は透明材料によって構成された遮断カバーを示し、この遮断カバー１５はゲル状の芳香剤Ｆと気化した芳香剤Ｆのいずれも通過させないエチレン−ビニルアルコール共重合合成樹脂等によって構成されている。遮断カバー１５は気体通過シート１１と同じ大きさに形成されている。
図２、４に示すように、遮断カバー１５は気体通過シート１１の表面に剥離可能に接着されており、気体通過部１３を完全に覆っている。したがって、遮断カバー１５は気化した芳香剤Ｆが気体通過部１３から出てくるのを遮断している。
また、遮断カバー１５の外周縁は気体通過シート１１に接着されておらず、この部分が非接着部１９となっている。
【００１５】
容器入り芳香剤１の使用方法について説明する。
図４に示すように、遮断カバー１５の非接着部１９を摘まんで、遮断カバー１５を気体通過シート１１から剥がし取って除去する。これにより、気体通過シート１１の気体通過部１３が露出した状態となる。露出した気体通過部１３を気化した芳香剤Ｆが通過して飛散する。
このように、容器入り芳香剤１は気体通過シート１１から遮断カバー１５を剥がし取るだけで簡単に芳香剤Ｆを飛散させることができる。
【００１６】
芳香カード３はゲル状の芳香剤Ｆを通過させない非通過シート９と気体通過シート１１によって完全に封入された状態となっているため、持ち歩くなどして衝撃や振動が加わっても封入容器７からゲル状の芳香剤Ｆが外部に出てきてしまうことがなく、ゲル状の芳香剤Ｆが手に付いてしまったり、被服等を汚してしまったりするのを完全に防止することができる。
また、芳香剤Ｆは封入容器７に封入されているので、遮断カバー１５を除去した後においても外気や水分による影響を殆ど受けない。したがって、芳香を発する時間を長く持続することができる。
【００１７】
更に、封入容器７は透明材料によって構成されているため、芳香カード３に印刷された文字５を視認することが可能であり、デザイン的にも優れたものとなる。
容器入り芳香剤１は名刺程度の寸法に設定されているため、室内や車内に置くのはもちろんのこと、衣服のポケットやカードケース、小物入れ等に入れて持ち歩くことができる。
【００１８】
以上、本考案の実施の形態について詳述してきたが、具体的構成は、この実施の形態に限られるものではなく、本考案の要旨を逸脱しない範囲における設計の変更などがあっても考案に含まれる。
例えば、本実施の形態の芳香カード３は紙によって構成したが、本考案はこれに限定されず、不織布等によって構成してもよい。
【００１９】
上記実施の形態では、封入容器７を袋状としたが本考案はこれに限定されず、例えば、浅いトレイの開口をシートで覆った形状のものとしてもよい。
更に、上記実施の形態では、ゲル状の芳香剤を示したが、本考案はこれに限定されず、液状乃至ゲル状のものであればよく、手や被服に付着してしまう程度の流動性をもつ芳香剤に適用するものである。
【００２０】
本実施の形態では芳香カード３には文字５を印刷したが、本考案はその他の表示体として絵柄、写真等を印刷してもよい。
芳香カード３は長方形に限らず、例えば星形やハート形にしてもよい。
芳香剤としては上記したペパーミントの芳香を発するものに限定されず、ローズマリー、マンダリン、ゼラニウム、ジャスミン、ダマスクローズ、ラベンダー、シトラス等の芳香を発するものを用いてもよい。更に檜の香成分であるヒノキオール等の抗菌作用をもつものを使用してもよい。
【産業上の利用可能性】
【００２１】
容器入り芳香剤の製造業に利用可能性を有する。
【符号の説明】
【００２２】
１…容器入り芳香剤                ３…芳香カード
５…文字                          ７…封入容器
９…非通過シート                １１…気体通過シート
１２…周縁部                      １３…気体通過部
１５…遮断カバー                    Ｆ…芳香剤
【図１】
0003186409.tif 000003
【図２】
0003186409.tif 000004
【図３】
0003186409.tif 000005
【図４】
0003186409.tif 000006
【図５】
0003186409.tif 000007